(57)【要約】【課題】試験用配線作業の効率を大幅に向上する。【解決手段】ねじアップ機能を持つねじアップ式端子台１０に試験用配線を電気的に接続する試験用配線治具１において、アップしたねじ１２の下端部１２ａと導体端子１１の上面との間に、上側接触子２および下側接触子３をそのばね性を利用して挿入することによりワンタッチで着脱可能であるため、ねじ１２による締結および取り外し作業を無くしてワンタッチによる装着作業のみとすることが可能となる。【選択図】図３
2010170747.tif 000002
【特許請求の範囲】
【請求項１】
ねじアップ機能を持つねじアップ式端子台において、アップしたねじの下端部と、該ねじが締結可能とされるねじ穴を持つ導電端子との間にばね性を有して挿入されて、該導電端子に電気的に接触すると共に、外部配線に接続されている導電性接触子を有する端子台の試験用配線治具。
【請求項２】
前記導電性接触子として、手前側と先端側間の側面部を介して一体化して上側の先端側と下側の先端側でばね性を有して分離した帯板状の上側接触子および下側接触子を有する請求項１に記載の端子台の試験用配線治具。
【請求項３】
前記上側接触子および前記下側接触子の一体化した根元部および前記手前側をカバーする樹脂ケースと、該樹脂ケース内で該上側接触子および該下側接触子の各手前側に設けられ、前記外部配線と電気的に接続可能とする接続部とをさらに有する請求項２に記載の端子台の試験用配線治具。
【請求項４】
前記樹脂ケースは、前記上側接触子および前記下側接触子の一体化した根元部および前記手前側を両側から挟み込んで抱き合わせてカバーする請求項３に記載の端子台の試験用配線治具。
【請求項５】
前記樹脂ケースの二つを抱き合わた１ユニットまたは複数ユニットを固定する固定シャフトを更に有する請求項４に記載の端子台の試験用配線治具。
【請求項６】
前記上側接触子が前記下側接触子よりも長く突出されており、該上側接触子の先端部が、前記アップしたねじの下端部の下に挿入し易くするために下側に折れ曲がっている請求項２に記載の端子台の試験用配線治具。
【請求項７】
前記下側接触子の下面には、前記導電端子のねじ穴に嵌合可能な抜け止め用の円形突部が形成されている請求項２に記載の端子台の試験用配線治具。
【請求項８】
前記樹脂ケースは、装着保持機構として、前記アップしたねじの下端部を両側から挟み込んで治具装着状態を保持する突起片部を設けている請求項３に記載の端子台の試験用配線治具。
【請求項９】
前記上側接触子および前記下側接触子の手前側の接続部は、レセプタクルが着脱自在なファストンタブかまたは半田端子である請求項３に記載の端子台の試験用配線治具。
【請求項１０】
前記接続部は、１ユニットに２つ設けられている請求項３に記載の端子台の試験用配線治具。
【請求項１１】
前記ねじアップ式端子台は、絶縁ユニットによって前記導電端子の表面に対して垂直方向に移動自在にガイドされる座金を持つ座金付のねじと、該座金付のねじの下端部が該導電端子のねじ穴から離間する方向に該座金付のねじに付勢力を付与するばね部材とを有して、前記ねじアップ機能を持たせている請求項１に記載の端子台の試験用配線治具。
【発明の詳細な説明】
【技術分野】
【０００１】
本発明は、例えば原子力発電所、火力発電所および変電所などの配電盤、制御盤および監視盤などに用いられる配線中継および分岐装置としての例えばねじアップ式端子台などの端子台に用いられる端子台の試験用配線治具に関する。
【背景技術】
【０００２】
この種の従来の端子台は、電源装置から電源電圧を印加する側と、継電器、シーケンサおよびモータ、さらにはランプなどの各種装置に電源電圧を受ける側の配線を中継接続する器具として用いられている。このような従来の端子台として、ねじアップ式端子台がある。
【０００３】
このねじアップ式端子台は、導体端子のねじ穴からねじを回転離脱させた状態で導体端子面に対して垂直方向にねじを座金と共に上方に離間（ばねによるアップ移動）させ、導体端子面のねじ穴と、その離間しているねじの下端との間に電線先端部の圧着端子を挿入してドライバの先短部などでねじ頭を押し下げてねじ締結を行うことにより、このねじ締結作業を、容易かつ素早くかつねじの落下なく安全に行うことができる。
【０００４】
この種の配電盤、制御盤および監視盤などの出荷時には、現地設置時に電源装置を端子台に接続することから、電源装置から電気を送る側には端子台に配線が為されておらず、各種装置に電気を受ける側は端子台の端子に配線が為されている。この状態で、配電盤、制御盤および監視盤などの出荷試験を行う必要がある。
【０００５】
このような出荷試験を行う場合、試験用電源装置を、電気を送る側の端子台の端子に圧着端子を介してねじ締結により配線接続して、電気を受ける側の継電器、シーケンサおよびモータ、さらにはランプなどの各種装置に試験用電源電圧を印加して、継電器、シーケンサおよびモータ、さらにはランプなどの各種装置の動作が正常動作をするかどうかの確認や、出力電圧値および出力電流値などを確認するなどの出荷試験を行う。その出荷試験後には、電気を送る側の端子台の端子に、ねじ締結により試験用電源装置に接続していた配線を、ねじを緩めて外すことになる。
【０００６】
このように、出荷試験時に、電気を送る側の端子台の端子に圧着端子を介してねじ締結により配線接続して試験用電源装置を接続したり、出荷試験後にねじを緩めてこの配線を外す必要があるが、ねじを締めたり緩めたりするのに工数を要してしまい、製造コストがかかるという問題を有していた。
【０００７】
これを解決するために特許文献１に試験用配線治具が提案されている。特許文献１の試験用配線治具では、試験用電源装置に接続される試験用配線の先端部に磁石を設け、この磁石を、電気を送る側の端子台の端子ねじに磁力により接続固定する試験用配線治具としている。これによって、出荷試験時および出荷試験後にねじによる配線工数を大幅に抑えることができる。
【０００８】
特許文献１を図１１を用いて説明すると、図１１に示すように、その試験用配線治具は、端子接触素子１００ａ、１００ｂの先端部の永久磁石１０１ａ、１０１ｂの接触面ＳＡおよび接触面ＳＢにより、端子台における端子板の締付ねじの頭部１０２の接触面ＳＣに磁力により接続固定される。この場合、その永久磁石１０１ａ、１０１ｂの接触面ＳＡおよび接触面ＳＢは、締付ねじの頭部１０２の接触面ＳＣに沿って、良好な接触性を得るために、ＸＹＺ全ての方向に独立に変位可能となっている。
【０００９】
特許文献２では、端子台の複数の端子に対して一括配線可能なショートバーなどの金属板を用いて、ねじによる配線接続を合理化した試験用治具が提案されている。
【００１０】
特許文献２の試験用治具では、図１２に示すように、耐電圧試験などで複数回路に一括して電圧を印加する場合に、連続した櫛状の複数の各弾性接触片２０１を、それぞれ端子台２０２の側方から各接続端子２０３の上方に進入させ、かつ、その先端下部をその締付ねじ２０４の頭部に接触させ、次いで、この状態で、弾性係止部２０５を端子台２０２の対応側部のカバー係止用凹部２０６に係止させる。
【００１１】
矢印Ａに示すように、弾性係止部２０５付近を中心に下方向に回動させ、他側の弾性係止片２０７を他側のカバー係止用凹部２０６に係止させる。こうして、耐電圧試験用短絡板２００の取り付け作業は極めて簡単かつスピーディに完了する。
【００１２】
このような耐電圧試験用短絡板２００のカバー係止用凹部２０６への取り付け状態において、複数の各弾性接触片２０１は、その弾力性により接続端子２０３の締付ねじ２０４に対する確実な接触を保持し、これによって、全接続端子２０３間の短絡が確実に実現できる。また、両側の弾性係止部２０５および弾性係止片２０７は、各々同様に、その弾力性により各隔壁の両側部の各カバー係止用凹部２０６に対する確実な係止状態を保持し、これによって、弾性接触片２０１の接続端子２０３の締付ねじ２０４に対する接触を確実に維持することができる。
【００１３】
一方、耐電圧試験用電源は、耐電圧試験用短絡板２００の本体に、その側部に突出してある端子片２０８のいずれかに、例えば、これを外装するようなコネクタ類で接続することにより、容易かつ確実に電気的に接続することができる。
【００１４】
さらに、特許文献３，４では、コンタクトプローブを用いて、ねじによる配線接続を合理化した試験用配線治具が提案されている。
【００１５】
特許文献３では、図１３に示すように、入出力端子台３００の両端の端子金具３０１を緩めておき、残りの中間部の端子金具３０１はしっかりと台座３０２にねじ込んでおく。次に、これに対向する配線接続器具３０３を、コンタクトプローブである接触子金具３０４の先端のＶ字状切り込み部が入出力端子台３００の端子金具３０１側に近づくように移動させて、接触子金具３０４を両端の端子金具３０１によって挟んでねじ留めする。
【００１６】
このとき、両端の接触子金具３０４はそのＶ字状先端が端子金具３０１の頭部と台座３０２との間に挟まり、端子金具３０１を締め付けることによって接触子金具３０４がねじ留めされ、これによって、接続器具ベース３０５と入出力端子台３００とが機械的に固定されると共に、電気的に接続される。残る中間部の接触子金具３０４は、対向する端子金具３０１が台座３０２にねじ込まれているので、端子金具３０１の頭部が接触子金具３０４のＶ字状切り込み部の内部に入り込み、突合せで接触する。この際、スプリング３０６は端子金具３０１の頭部に接触子金具３０４のＶ字状切り込み部が接触した瞬間から圧縮を開始して、その伸張力により接触子金具３０４を必要な接触圧力を持って端子金具３０１の頭部に押し付けて電気的に突合せで接触させる。
【００１７】
よって、入出力端子台３００への配線接続は両端２つの端子金具３０１のねじ留め作業だけで済み、残りの中間部分の接触子金具３０４の接続はスプリング３０６の伸張力により突合せで接触するため、接続作業の時間が大幅に短縮すると共に、その接続作業も簡単なものとなり、配線効率を大幅に向上させることができる。
【００１８】
また、接触子金具３０４の先端には、Ｖ字状切り込み部が形成され、このＶ字状切り込み部の内側と端子金具３０１の頭部とは突合せで接触させるので、従来のように接続のたびに端子金具３０１を台座３０２から取外す必要がなくなり、両端の端子金具３０１を緩めて接触子金具３０４の先端を締め付けるだけで良いので、作業効率を大幅に向上させることができる。
【００１９】
特許文献４では、図１４に示すように、外部入出力端子接続治具４００は、制御盤の性能試験時に、盤の外部入出力端子と試験信号入出力用のコンタクトプローブ４０１とを接続する際に、端子台全面を被覆するカバー４０２をワンタッチで取付けおよび取り外し可能にし、カバー４０２に端子に対向する部位にコンタクトプローブ４０１を挿入貫通する穴４０３を開設し、治具ベース４０４にカバー４０２を固着させ、プローブ４０１を治具ベース４０４に装着し、外部入出力端子のねじ頭部とプローブ４０１との接続を維持するようにし、カバー４０２、治具ベース４０４を透明のアクリルブロック製とし、カバー４０２のプローブ４０１の取付け口に、プローブ４０１が外部入出力端子のねじ頭部に圧接時にプローブ４０１を退避孔に退避させることができる。
【００２０】
特許文献５では、端子台に専用の構造を用いて、アタッチメントを着脱可能とした端子台およびこれに用いる試験用配線治具が提案されている。
【００２１】
特許文献５の試験用配線治具では、図１５の斜視図に示すように、端子板５０１とコイルスプリングにより付勢された座金５０２との間に電線５０３の先端の圧着端子を挟持し、座金５０２に螺着した端子ねじ５０４を締結するねじアップ方式の端子台５００において、コネクタ型の試験用アタッチメント５０６を、ねじアップ方式の端子台５００の上から差し込み、この試験用アタッチメント５０６に、耐電圧試験用短絡アダプタ５０７とシーケンス試験アダプタ５０８とを各々独立または個別に差し込んで接続する。
【００２２】
この試験用アタッチメント５０６は、ねじアップ方式の端子台５００への一つの端子接続部から耐電圧試験用短絡アダフタ５０７およびシーケンス試験アダプタ５０８への複数の接続部を分岐させたタブ端子５０９を備えている。また、ねじアップ方式の端子台５００に耐電圧試験用短絡アダフタ５０７およびシーケンス試験アダプタ５０８の何れかを個別に差し込んで接続した複数個のものを、接続できるようにする一端子接続アダプタ５１０も備えている。
【００２３】
さらに、このねじアップ方式の端子台５００には、端子名を示す短冊状の文字板５１１が使用されているが、試験用アタッチメント５０６をねじアップ方式の端子台５００に差し込んで接続する際には、文字板５１１を取り外し、その文字板５１１を試験用アタッチメント５０６に装着できるようにする。安全カバー５１２はねじアップ方式の端子台５００を覆い、安全を期するために使用する。
【００２４】
さらに、特許文献６では、導電板に試験用ターミナルを締結した端子台が提案されている。
【００２５】
特許文献６では、図１６（ａ）および図１６（ｂ）に示すように、端子台６００の止メ金６０１を利用して、止メ金６０１の中央部上に試験用ターミナル６０２を組込んだ試験用ターミナル付端子台であって、この試験用ターミナル６０２によって通電試験の準備が簡略化でき、試験用ターミナル６０２の穴内にバナナプラグ付試験用電線（図示せず）を差し込むことによって効率良く作業が行える。このように、通電試験を行う際に、締付けねじ６０３の取外し作業および取付作業を省略するために、試験用ターミナル６０１を用いている。
【先行技術文献】
【特許文献】
【００２６】
【特許文献１】特開２００７−７３４７７号公報
【特許文献２】特開２００４−２７３１８９号公報
【特許文献３】特開２００４−２４７１１４号公報
【特許文献４】特開２００２−７１７１１号公報
【特許文献５】特開平６−２８３２２４号公報（特許第２９２１２５６号公報）
【特許文献６】実開平５−１５３３８号公報
【発明の概要】
【発明が解決しようとする課題】
【００２７】
上記特許文献１の試験用配線の磁石による従来の接続構成では、ねじ材料が鉄の場合に、試験用配線とねじとの接続に問題はないが、ねじ材料がステンレスや真鍮などの非磁性体の場合には、試験用配線を磁石によりねじと接続することができない。また、ねじ材料が鉄の場合に、試験用配線を磁石によりねじに接続したとしても、磁石を介して試験対象の装置側に電流を流すと、磁石は抵抗が大きいため、電流が制限されてしまい、端子台の定格電流を大幅に下回る場合が生じる。例えば端子台の定格電流が３０Ａの場合に、治具通電電流が１Ａ以下になることもあり得る。この場合には、正確な動作試験や性能試験が実施できないという問題が生じる。
【００２８】
上記特許文献２のショートバーを用いた従来の試験用治具では、端子台の複数の端子を経由して各装置に電源電圧を印加する耐圧試験には、確かに、ショートバーなどの金属板を用いて、ねじによる配線接続を合理化することができるが、端子台の複数の端子個々を経由して、それぞれの各装置に電源電圧を印加する場合には、一括接続するためのショートバーは用いることができないし、ねじによる配線接続がなくなるわけでもないので、ねじによる配線接続に多大な工数を要してしまい、製造コストがかかるという問題がなくなるわけではない。
【００２９】
上記特許文献３，４のコンタクトプローブを用いた従来の試験用治具では、コンタクトプローブ自体の価格が高価であり、コンタクトプローブ自体の接触抵抗は低いものの、コンタクトプローブを介して試験対象の装置側に電流を流すと、コンタクトプローブは電流を流す容量が小さいため、電流が大幅に制限されてしまい、端子台の定格電流を大幅に下回る場合が生じる。例えば端子台の定格電流が３０Ａの場合に、治具通電電流が１Ａ以下になることもあり得る。この場合には、正確な動作試験や性能試験が実施できないという問題が生じる。
【００３０】
上記特許文献５のアタッチメントを用いた端子台およびこれに用いる試験用治具では、アタッチメントを複数用いるため、価格が高くなると共に、端子台の端子との接触部と、アタッチメントとの接触部との二箇所の接触部を持つ構造であり、接触部が故障する可能性が相乗的に高くなる。
【００３１】
上記特許文献６の試験用の導電ねじを用いた従来の構造では、試験用ターミナル６０２自体の端子台６００の止メ金６０１への取り付けは、ねじによる締結および取り外しとなるため、配線作業自体の時間短縮にはならないという問題を有していた。
【００３２】
本発明は、上記従来の問題を解決するもので、ねじによる締結および取り外し作業を無くしてワンタッチによる装着作業のみとすることにより、試験用配線作業の効率を大幅に向上することができる端子台の試験用配線治具を提供することを目的とする。
【課題を解決するための手段】
【００３３】
本発明の端子台の試験用配線治具は、ねじアップ機能を持つねじアップ式端子台において、アップしたねじの下端部と、該ねじが締結可能とされるねじ穴を持つ導電端子との間にばね性を有して挿入されて、該導電端子に電気的に接触すると共に、外部配線に接続されている導電性接触子を有するものであり、そのことにより上記目的が達成される。
【００３４】
また、好ましくは、本発明の端子台の試験用配線治具における導電性接触子として、手前側と先端側間の側面部を介して一体化して上側の先端側と下側の先端側でばね性を有して分離した帯板状の上側接触子および下側接触子を有する。
【００３５】
さらに、好ましくは、本発明の端子台の試験用配線治具において、前記上側接触子および前記下側接触子の一体化した根元部および前記手前側をカバーする樹脂ケースと、該樹脂ケース内で該上側接触子および該下側接触子の各手前側に設けられ、前記外部配線と電気的に接続可能とする接続部とをさらに有する。
【００３６】
さらに、好ましくは、本発明の端子台の試験用配線治具における樹脂ケースは、前記上側接触子および前記下側接触子の一体化した根元部および前記手前側を両側から挟み込んで抱き合わせてカバーする。
【００３７】
さらに、好ましくは、本発明の端子台の試験用配線治具における樹脂ケースの二つを抱き合わた１ユニットまたは複数ユニットを固定する固定シャフトを更に有する。
【００３８】
さらに、好ましくは、本発明の端子台の試験用配線治具における上側接触子が前記下側接触子よりも長く突出されており、該上側接触子の先端部が、前記アップしたねじの下端部の下に挿入し易くするために下側に折れ曲がっている。
【００３９】
さらに、好ましくは、本発明の端子台の試験用配線治具における下側接触子の下面には、前記導電端子のねじ穴に嵌合可能な抜け止め用の円形突部が形成されている。
【００４０】
さらに、好ましくは、本発明の端子台の試験用配線治具における樹脂ケースは、装着保持機構として、前記アップしたねじの下端部を両側から挟み込んで治具装着状態を保持する突起片部を設けている。
【００４１】
さらに、好ましくは、本発明の端子台の試験用配線治具において、前記上側接触子および前記下側接触子の手前側の接続部は、レセプタクルが着脱自在なファストンタブかまたは半田端子である。
【００４２】
さらに、好ましくは、本発明の端子台の試験用配線治具における接続部は、１ユニットに２つ設けられている。
【００４３】
さらに、好ましくは、本発明の端子台の試験用配線治具を使用するねじアップ式端子台は、絶縁ユニットによって前記導電端子の表面に対して垂直方向に移動自在にガイドされる座金を持つ座金付のねじと、該座金付のねじの下端部が該導電端子のねじ穴から離間する方向に該座金付のねじに付勢力を付与するばね部材とを有して、前記ねじアップ機能を持たせている。
【００４４】
上記構成により、以下、本発明の作用を説明する。
【００４５】
本発明においては、アップしたねじの下端部と、ねじが締結可能とされる導電端子との間にばね性を有して挿入されて、導電端子に電気的に接触すると共に、外部配線に接続された導電性接触子を有している。
【００４６】
これによって、アップしたねじの下端部と導体端子の上面との間に、この導電性接触子をそのばね性を利用して挿入することによりワンタッチで着脱可能である。したがって、試験用配線治具のねじアップ式端子台への装着にねじの締結作業を行うことなく、ワンタッチで容易かつ素早く、試験用配線治具の導電性接触子を導電端子の入力側に確実に装着することが可能となる。よって、ねじによる締結および取り外し作業を無くしてワンタッチによる装着作業のみとして、試験用配線作業の効率を大幅に向上させることが可能となる。
【発明の効果】
【００４７】
以上により、本発明によれば、アップしたねじの下端部と導体端子の上面との間に、導電性接触子をそのばね性を利用して挿入することによりワンタッチで着脱可能であるため、ねじによる締結および取り外し作業を無くしてワンタッチによる装着作業のみとすることができて、試験用配線作業の効率を大幅に向上することができる。
【図面の簡単な説明】
【００４８】
【図１】本発明の実施形態１における端子台の試験用配線治具の要部構成例を示す図であって、（ａ）はその試験用配線治具の上面図であり、（ｂ）はその試験用配線治具の側面図であり、（ｃ）はその試験用配線治具の正面図である。
【図２】図１の試験用配線治具の縦断面図である。
【図３】図２の試験用配線治具をねじアップ式端子台に用いて試験する状態を示す要部構成図である。
【図４】図１の試験用配線治具を端子台に装着前の状態を示す平面図である。
【図５】図１の試験用配線治具を端子台に装着後の状態を示す平面図である。
【図６】本発明の実施形態２における端子台の試験用配線治具の要部構成例を示す図であって、（ａ）はその試験用配線治具の上面図であり、（ｂ）はその試験用配線治具の側面図であり、（ｃ）はその試験用配線治具の正面図である。
【図７】図６の試験用配線治具の縦断面図である。
【図８】図６の試験用配線治具をねじアップ式端子台に用いて試験する状態を示す要部構成図である。
【図９】図６の上側接触子の先端側の拡大上面図である。
【図１０】図６の下側接触子の先端側の拡大下面図である。
【図１１】特許文献１に開示されている従来の端子台の試験用配線治具の要部構成例を示す拡大断面図である。
【図１２】特許文献２に開示されている従来の試験用配線治具を端子台に取り付けた場合の要部構成例を示す縦断面図である。
【図１３】特許文献３に開示されている従来の試験用配線治具を端子台に取り付けた場合の要部構成例を示す平面図である。
【図１４】特許文献４に開示されている従来の端子台の試験用配線治具の構成例を示す斜視図である。
【図１５】特許文献５に開示されている従来の端子台の試験用配線治具の構成例を示す斜視図である。
【図１６】（ａ）は、特許文献６に開示されている従来の端子台の試験用配線治具の構成例を示す正面図であり、（ｂ）は、その端子台の試験用配線治具の構成例を示す平面図である。
【発明を実施するための形態】
【００４９】
以下に、本発明の実施形態に係る端子台の試験用配線治具の実施形態１、２について図面を参照しながら詳細に説明する。
【００５０】
（実施形態１）
図１は、本発明の実施形態１における端子台の試験用配線治具の要部構成例を示す図であって、（ａ）はその試験用配線治具の上面図であり、（ｂ）はその試験用配線治具の側面図であり、（ｃ）はその試験用配線治具の正面図である。
【００５１】
図１（ａ）〜図１（ｃ）において、本実施形態１の端子台の試験用配線治具１は、手前側と先端側２１，３１間で側面を介して一体化して上側の先端側２１と下側の先端側３１でばね性を有して分離した帯板状の導電性接触子としての上側接触子２および下側接触子３と、これらの上側接触子２および下側接触子３の一体化した根元部側を両側から挟み込んでカバーする二つの樹脂ケース４、４と、二つの樹脂ケース４、４の側面を貫通して固定する固定シャフトとしての締結シャフト５と、樹脂ケース４内で上側接触子２および下側接触子３のいずれかの手前側に電気的に接続する、電源装置に接続された配線部材６とを有している。
【００５２】
上側接触子２および下側接触子３は金属製で前後に長い板状に形成されており、図２の縦断面図に示すように、上下２枚の上側接触子２および下側接触子３は、手前側２２，３２と先端側２１，３１間の各一方側面部にそれぞれ連設する連設部２３で折り曲げられて一体化しており、先端側２１，３１で上側と下側に所定間隔（ねじの下端部と導電端子の上面との距離に応じた寸法であって、導電端子の上面に対して先端側３１が所定の接触圧力を得る程度の寸法）を空けて分離した状態で、上下２枚の上側接触子２および下側接触子３の先端側２１，３１が接近または離間可能にばね性を持っている。２枚のばね性金属板（上側接触子２および下側接触子３）は、端子台への装着のために先端部分で挿入可能でしかも接触信頼性がある程度のばね性を持たせる必要がある。
【００５３】
二つの樹脂ケース４、４は、互いに抱き合わされて手前側が開放された箱型状に構成されており、図２の縦断面図に示すように、手前側の開放面に対向する外郭側面４１に上下２つの切り欠き部（ここでは一括した１つの切り欠き部）が形成され、この上下２つの切り欠き部に上側接触子２および下側接触子３が両側から嵌め込まれた状態で両側から抱き合わされて箱型を構成している。二つの樹脂ケース４、４は、上側接触子２および下側接触子３の手前側２２，３２と、手前側２２，３２と先端側２１，３１間の連設部２３とをカバーして収容し、両側面から立設したリブ（図示せず）によって上側接触子２および下側接触子３が保持されている。上側接触子２および下側接触子３の手前側２２，３２は、互いに所定距離（絶縁距離）を置くように折り曲げられており、その折り曲げられた上側接触子２および下側接触子３の手前側２２，３２間には、二つの樹脂ケース４、４を互いに抱き合わした状態を固定する締結シャフト５を貫通させるための穴４２が形成されている。この穴４２は、金属製の締結シャフト５と、上側接触子２および下側接触子３の手前側２２，３２との絶縁を図るために、穴４２の周縁から円環状にリブ（図示せず）が立設されている。
【００５４】
締結シャフト５は、ねじ部とナット部で構成されており、二つの樹脂ケース４、４を互いに抱き合わした状態で固定するために用いられる。また、締結シャフト５は、必要なだけ一または複数の試験用配線治具１を一体化するために用いることもできる。
【００５５】
配線部材６は、その一方端に試験用電源の出力端が接続されており、その他方端に、上側接触子２および下側接触子３の手前側２２または３２の接続部としての半田端子が半田で接続される。例えば、配線部材６が上側接触子２の手前側２２に半田で接続された場合には、残った下側接触子３の手前側３２には、別の配線部材６が接続可能である。例えば、この別の配線部材６を、端子台の隣接端子同士をショートさせる隣端子との渡り線のために用いることもできる。
【００５６】
ここで、本実施形態１の試験用配線治具１をねじアップ式端子台に用いて試験する場合について図３〜図５を用いて詳細に説明する。
【００５７】
図３は、図２の試験用配線治具１をねじアップ式端子台に用いて試験する状態を示す要部構成図である。
【００５８】
図３において、ねじアップ式端子台１０は、電源装置から電源電圧を印加する導体端子１１の入力側１１ａと、継電器、シーケンサおよびモータ、さらにはランプなどの被試験用の各種装置に電源電圧を受ける導体端子１１の出力側１１ｂとを有している。この導体端子１１の入力側１１ａに、電源装置や各種計測機器などが接続された試験用配線治具１の上側接触子２および下側接触子３がワンタッチで接続され、導体端子１１の出力側１１ｂに、継電器、シーケンサおよびモータ、さらにはランプなどの被試験用の各種装置が接続される。
【００５９】
このねじアップ式端子台１０は、導体端子１１のねじ穴からねじを回転離脱させた状態で導体端子１１の上面に対して垂直方向にねじ１２を座金１３と共に上方に離間（ばね１４によるアップ移動）させ、導体端子１１の上面のねじ穴と、その離間しているねじ１２の下端１２ａとの間に、試験用配線治具１の上側接触子２および下側接触子３をそのばね性で挿入して、上側接触子２とねじ１２の下端１２ａとを当接させると共に、下側接触子３と端子１１の上面とを当接させることができる。このように、アップしたねじ１２の先端部（下端１２ａ）と導体端子１１の上面との間に、２枚のばね性金属板である上側接触子２および下側接触子３をそのばね性を利用して挿入することによりワンタッチで着脱可能である。したがって、試験用配線治具１のねじアップ式端子台１０への装着にねじ１２の締結作業を行うことなく、ワンタッチで容易かつ素早く、試験用配線治具１の上側接触子２および下側接触子３を導電端子１１の入力側１１ａに確実に装着することができる。これによって、ねじ１２による締結および取り外し作業を無くしてワンタッチによる装着作業のみとすることができて、試験用配線作業の効率を大幅に向上することができる。
【００６０】
なお、本実施形態１では、ねじアップ端子台１０は、ねじ１２が保持される１段式を用いたが、これに限らず、２段式のねじアップ端子台であっても、試験用配線治具１の上側接触子２および下側接触子３を導電端子１１の入力側１１ａに装着するのに何ら変わりはない。
【００６１】
また、本実施形態１では、試験用配線治具１はテストプラグとして１ユニットの場合について説明したが、これに限らず、図４および図５のように試験用配線治具１Ａとして、複数ユニットで構成されていてもよい。図４および図５は、ねじアップ端子台１０が１０ユニットの場合で、試験用配線治具１Ａとして１０ユニットの場合である。試験用配線治具１Ａとして、１０個の単ユニットの試験用配線治具１を締結シャフト５により連結すればよい。図４に示す１０ユニットの試験用配線治具１Ａを、図５に示すように、ねじアップ端子台１０の各導電端子１１に、上側接触子２および下側接触子３をワンタッチでそのばね性を利用して挿入することにより、より素早く確実に装着することができる。
【００６２】
（実施形態２）
上記実施形態１では、試験用配線治具１に装着保持機構を設けておらず、配線部材を試験用配線治具１に半田で接続した場合について説明したが、本実施形態２では、試験用配線治具に装着保持機構（容易に外れない構造）を設け、配線部材を着脱自在に構成した場合について説明する。
【００６３】
図６は、本発明の実施形態２における端子台の試験用配線治具の要部構成例を示す図であって、（ａ）はその試験用配線治具の上面図であり、（ｂ）はその試験用配線治具の側面図であり、（ｃ）はその試験用配線治具の正面図である。
【００６４】
図６（ａ）〜図６（ｃ）において、本実施形態２の端子台の試験用配線治具１Ｂは、手前側と先端側２１，３１間の側面部で連結して一体化して上側の先端側２１と下側の先端側３１でばね性を有して分離した導電性接触子としての帯板状の上側接触子２Ｂおよび下側接触子３Ｂと、これらの上側接触子２Ｂおよび下側接触子３Ｂの一体化した根元部側を両側から挟み込んでカバーすると共に、端子台のアップしたねじをキャッチする突起片部４３を持つ二つの樹脂ケース４Ｂ、４Ｂと、二つの樹脂ケース４Ｂ、４Ｂの側面を貫通して固定する固定シャフトとしての締結シャフト５と、樹脂ケース４Ｂ内で上側接触子２Ｂおよび下側接触子３Ｂのいずれかの手前側に電気的に接続する、電源装置に接続された配線部材６とを有している。
【００６５】
上側接触子２Ｂおよび下側接触子３Ｂは金属製で板状に形成されており、図７の縦断面図に示すように、上下２枚の上側接触子２Ｂおよび下側接触子３Ｂは、手前側２２，３２と先端側２１，３１間の各一方側面部にそれぞれ連設する連設部２３で折り曲げられて一体化しており、上側の先端側２１と下側の先端側３１で所定間隔（ねじの下端部と導電端子の上面との距離に応じた寸法であって、導電端子の上面に対して先端側３１が所定の接触圧力を得る程度の寸法）を空けて分離した状態で、上下２枚の上側接触子２Ｂおよび下側接触子３Ｂの先端側２１，３１が接近または離間可能にばね性を持っている。
【００６６】
さらに、２枚のばね性金属板である上側接触子２Ｂと下側接触子３Ｂとはその先端部の長さが、上側接触子２Ｂの方が下側接触子３Ｂよりも長く突き出ており、上側接触子２Ｂの先端が、端子台のアップしたねじの下端部を拾い易くするために下側に折れ曲がっている。また、下側接触子３Ｂの下面には、試験用配線治具１Ｂが端子台に装着された状態を維持するために、図１０に示すように、端子台の端子のねじ穴に嵌合可能な抜け止め用の円形突部３３が形成されている。
【００６７】
このように、ねじ１２の先端部（下端部１２ａ）と端子板（導電端子１１）との間に対してより挿入が容易なように、２枚のばね性金属板（上側接触子２Ｂと下側接触子３Ｂ）の上側（上側接触子２Ｂ）は下方に向いている。下側のばね性金属板（下側接触子３Ｂ）は、抜け止め用に、導電端子１１のねじ穴に嵌まり込むように円形突部３３が下面側に突出して設けられている。
【００６８】
二つの樹脂ケース４Ｂ、４Ｂは、互いに抱き合わされて手前側が開放された箱型状に構成されており、図７の縦断面図に示すように、手前側の開放面に対向する外郭側面４１に上下２つの切り欠き部（ここでは一括した１つの切り欠き部）が形成され、この上下２つの切り欠き部に上側接触子２Ｂおよび下側接触子３Ｂが嵌め込まれた状態で両側から抱き合わされて箱型を構成している。二つの樹脂ケース４Ｂ、４Ｂは、上側接触子２Ｂおよび下側接触子３Ｂの手前側２２，３２と、手前側２２，３２と先端側２１，３１間の連設部２３とを収容し、両側面から立設したリブ（図示せず）によって保持されている。上側接触子２Ｂおよび下側接触子３Ｂの手前側２２，３２は、締結シャフト５との間で互いに所定の絶縁距離を置くように折り曲げられており、その折り曲げられた上側接触子２Ｂおよび下側接触子３Ｂの手前側２２，３２にそれぞれ形成された二つのファストンリブ間には、二つの樹脂ケース４Ｂ、４Ｂを互いに抱き合わした状態を固定する固定シャフトとしての締結シャフト５を貫通させるための穴４２が形成されている。この穴４２は、金属製の締結シャフト５と、上側接触子２Ｂおよび下側接触子３Ｂの手前側２２，３２の二つのファストンリブとの間の絶縁を図るために、穴４２の周縁から円環状にリブ（図示せず）が立設されている。
【００６９】
また、二つの樹脂ケース４Ｂ、４Ｂにはそれぞれ、試験用配線治具１Ｂの装着保持機構として、端子台側の外郭側面４１に、端子台のアップしたねじの下端部を両側から挟みこんで、下側接触子３Ｂの手前側３２に設けられた抜け止め用の円形突部３３と共に、試験用配線治具１Ｂの装着状態を保持する突起片部４３を設けている。この突起片部４３は、図９に示すように、二つの樹脂ケース４Ｂ、４Ｂの各外郭側面４１からそれぞれ突出して、先端部分のばね性で、端子台のアップしたねじ１２の下端部１２ａがＵ字状切り欠き部４３ｂ内に挿入されて先端部分の両側からねじ１２の下端部１２ａを挟み込んで保持するようになっている。ねじ１２の下端部１２ａを突起片部４３のＵ字状切り欠き部４３ｂ内に容易に案内するために、Ｕ字状切り欠き部４３ｂの入口部分の両側にＣ部４３ａが形成されている。さらに、突起片部４３は、その下部の上側接触子２および下側接触子３の先端側２１、３１が変形しないようにするための保護壁にもなっている。
【００７０】
締結シャフト５は、ねじ部とナット部で構成されており、二つの樹脂ケース４Ｂ、４Ｂを互いに抱き合わした状態で固定するために用いられる。また、締結シャフト５は、必要なだけ複数の試験用配線治具１Ｂを一体化するために用いることもできる。
【００７１】
配線部材６は、その一方端に試験用電源の出力端が接続されており、その他方端のレセプタクル６１に、上側接触子２および下側接触子３の手前側２２または３２の接続部としての各ファストンタブが着脱自在である。例えば、配線部材６の他方端のレセプタクル６１が上側接触子２の手前側２２のファストンタブに挿入されて電気的に接続された場合に、残った下側接触子３の手前側３２のファストンタブに、別の配線部材６の他方端のレセプタクル６１が接続可能である。例えば、この別の配線部材６の他方端のレセプタクル６１を用いて、端子台の隣接端子同士をショートさせるための渡り線として用いることもできる。
【００７２】
ここで、本実施形態１の試験用配線治具１Ｂをねじアップ式端子台に用いて試験する場合について図８を用いて詳細に説明する。
【００７３】
図８は、図７の試験用配線治具１Ｂをねじアップ式端子台に用いて試験する状態を示す要部構成図である。
【００７４】
図８において、ねじアップ式端子台１０は、電源装置から電源電圧を印加する導電端子１１の入力側１１ａと、継電器、シーケンサおよびモータ、さらにはランプなどの被試験用の各種装置に電源電圧を受ける導体端子１１の出力側１１ｂとを有している。この導電端子１１の入力側１１ａに、電源装置や各種計測機器などが接続された試験用配線治具１の上側接触子２Ｂおよび下側接触子３Ｂがワンタッチで接続され、導電端子１１の出力側１１ｂに、継電器、シーケンサおよびモータ、さらにはランプなどの被試験用の各種装置がねじ１２の締結により接続される。
【００７５】
このねじアップ式端子台１０は、導電端子１１のねじ穴からねじを回転離脱させた状態で導電端子１１の上面に対して垂直方向にねじ１２を座金１３と共に上方に離間（ばね１４によるアップ移動）させ、導電端子１１の上面のねじ穴と、その離間してアップしいるねじ１２の下端部１２ａとの間に、試験用配線治具１の上側接触子２Ｂおよび下側接触子３Ｂを挿入して、上側接触子２Ｂとねじ１２の下端１２ａとを当接させると共に、下側接触子３Ｂと導電端子１１の上面とを当接させることができる。このように、アップしたねじ１２の先端部（下端部１２ａ）と導電端子１１の上面との間に、２枚のばね性金属板である上側接触子２および下側接触子３をそのばね性を利用して挿入することによりワンタッチで容易に着脱可能である。したがって、試験用配線治具１のねじアップ式端子台１０への装着にねじ１２の締結作業を行うことなく、ワンタッチで容易かつ素早く、試験用配線治具１の上側接触子２Ｂおよび下側接触子３Ｂを導電端子１１の入力側１１ａに確実に装着することができる。
【００７６】
以上により、本実施形態１、２によれば、アップしたねじ１２の下端部１２ａと導体端子１１の上面との間に、上側接触子２Ｂおよび下側接触子３Ｂをそのばね性を利用して挿入することによりワンタッチで着脱可能であるため、ねじ１２による締結および取り外し作業を無くしてワンタッチによる装着作業のみとすることができて、試験用配線作業の効率を大幅に向上することができる。
【００７７】
なお、本実施形態２では、試験用配線治具１Ｂはテストプラグとして１ユニットの場合について説明したが、これに限らず、複数ユニットで構成されていてもよい。複数個の単ユニットの試験用配線治具を締結シャフト５により連結すればよい。複数ユニットの試験用配線治具を、ねじアップ端子台１０の各端子１１に、上側接触子２Ｂおよび下側接触子３Ｂをワンタッチで挿入することにより素早く装着することができる。
【００７８】
なお、本実施形態１、２では、締結シャフト５を用いて一または複数ユニットを一体化するために用いたが、これに限らず、各ユニットが隣接する側壁に嵌め合いを設けて複数ユニットを連結するように構成してもよい。
【００７９】
以上のように、本発明の好ましい実施形態１〜３を用いて本発明を例示してきたが、本発明は、この実施形態１〜３に限定して解釈されるべきものではない。本発明は、特許請求の範囲によってのみその範囲が解釈されるべきであることが理解される。当業者は、本発明の具体的な好ましい実施形態１〜３の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００８０】
本発明は、例えば原子力発電所、火力発電所および変電所などの配電盤、制御盤および監視盤などに用いられる配線中継および分岐装置としての例えばねじアップ式端子台などの端子台に用いられる端子台の試験用配線治具の分野において、アップしたねじの下端部と導体端子の上面との間に、導電性接触子をそのばね性を利用して挿入することによりワンタッチで着脱可能であるため、ねじによる締結および取り外し作業を無くしてワンタッチによる装着作業のみとすることができて、試験用配線作業の効率を大幅に向上することができる。
【符号の説明】
【００８１】
１、１Ａ，１Ｂ  端子台の試験用配線治具
２、２Ｂ  上側接触子
２１  上側の先端側
２２  上側の手前側（半田端子またはファストンタブ）
２３  連設部
３、３Ｂ  下側接触子
３１  下側の先端側
３２  下側の手前側（半田端子またはファストンタブ）
３３  円形突部
４、４Ｂ  樹脂ケース
４１  外郭側面
４２  穴
４３  突起片部
４３ａ  Ｃ部
４３ｂ  Ｕ字状切り欠き部
５  締結シャフト
６  配線部材
６１  レセプタクル（被挿入端子）
１０  ねじアップ式端子台
１１  導電端子
１１ａ  入力側
１１ｂ  出力側
１２  ねじ
１２ａ  ねじの下端部
１３  座金
１４  ばね（ばね部材）  
【図１】
2010170747.tif 000003
【図２】
2010170747.tif 000004
【図３】
2010170747.tif 000005
【図４】
2010170747.tif 000006
【図５】
2010170747.tif 000007
【図６】
2010170747.tif 000008
【図７】
2010170747.tif 000009
【図８】
2010170747.tif 000010
【図９】
2010170747.tif 000011
【図１０】
2010170747.tif 000012
【図１１】
2010170747.tif 000013
【図１２】
2010170747.tif 000014
【図１３】
2010170747.tif 000015
【図１４】
2010170747.tif 000016
【図１５】
2010170747.tif 000017
【図１６】
2010170747.tif 000018